(57)【要約】【課題】大画面に表示される表示内容の全体を認識して、表示機器本体のボタン操作によりリモコン操作と同様にスムーズな表示操作を行うことができる表示機器を得る。【解決手段】画像表示信号Ｄｓに基づいて画像を表示する薄型表示パネル１５０ａと、薄型表示パネル１５０ａに設けられ、操作者のボタン操作により操作信号Ｂｓを生成するボタン部１２０と、リモコン１０からの赤外線信号ＩＲｃを受信してリモコン信号Ｒｓを出力するリモコン受信部１３０と、操作信号Ｂｓあるいはリモコン信号Ｒｓに基づいて薄型表示パネル１５０ａでの画像表示を制御する画像制御部１４０とを備え、画像制御部１４０は、ボタン部１２０から操作信号Ｂｓを受けたとき、薄型表示パネル１５０ａの表示領域１５１に、表示画面（大画面）５を縮小した縮小画面５ａが形成されてこの縮小画面５ａ内に画像が表示されるよう、画像表示信号Ｄｓを作成する。【選択図】図１
2013089047.tif 000002
【特許請求の範囲】
【請求項１】
表示領域を有し、画像表示信号に基づいて該表示領域上に表示画面を形成して該表示画面内に画像を表示する画像表示部と、該画像表示部に設けられ、操作者の操作により操作信号を生成する操作部と、リモートコントローラからのリモコン信号を受信する受信部と、該操作信号あるいは該リモコン信号に基づいて該画像表示部での画像表示を制御する画像制御部とを備えた表示機器であって、
該画像制御部は、
該操作部から該操作信号を受けたとき、該画像表示部の表示領域に該表示画面を縮小した縮小画面が形成されて該縮小画面内に該画像が表示されるように該画像表示信号を作成するものである、表示機器。
【請求項２】
請求項１に記載の表示機器において、
前記操作部は、前記画像表示部の周辺の一部に設けられた操作ボタンを含み、該操作ボタンの操作により前記操作信号を出力するよう構成したボタン操作部である、表示機器。
【請求項３】
請求項１に記載の表示機器において、
前記操作部は、前記画像表示部の表示領域上に配置されたタッチパネルを含み、該タッチパネルに対するタッチ操作により前記操作信号を出力するよう構成したタッチパネル部である、表示機器。
【請求項４】
請求項１から請求項３のいずれか１項に記載の表示機器において、
前記画像制御部は、
前記表示画面に対する前記縮小画面の縮小率に基づいて、前記縮小画面に表示される縮小文字のサイズを検出する文字サイズ検出部と、
該縮小文字のサイズが、前記操作者が該縮小文字を認識可能なサイズであるか否かを判定する文字認識判定部とを備え、
該縮小文字のサイズが認識可能なサイズより小さいサイズであるとき、前記画像表示部の縮小画面では該表示画面の文字が認識可能な縮小サイズで表示されるよう前記画像表示信号を作成する、表示機器。
【請求項５】
請求項４に記載の表示機器において、
前記画像制御部は、前記表示画面の文字を前記操作者の認識可能な縮小サイズで縮小して前記縮小画面に表示すると、該縮小した文字が該縮小画面からはみ出すとき、前記表示画面の一部の文字のみが該操作者の認識可能な最小のサイズで縮小されて該縮小画面に表示され、該縮小画面からはみ出す文字が該縮小画面に表示されないよう前記画像表示信号を作成する、表示機器。
【請求項６】
請求項１から請求項５のいずれか１項に記載の表示機器において、
前記画像制御部は、前記表示画面の画像を前記縮小画面に縮小して表示する際、該表示画面の一部の文字が、前記表示領域における該縮小画面の外側の部分に表示されるよう前記画像表示信号を作成する、表示機器。
【請求項７】
請求項６に記載の表示機器において、
前記画像制御部は、前記表示領域における前記縮小画面の外側の部分に表示される文字が文字認識可能なサイズの範囲で縮小されるよう前記画像表示信号を作成する、表示機器。
【請求項８】
請求項１から請求項７のいずれか１項に記載の表示機器において、
前記画像表示部は、複数の薄型表示パネルを、該複数の薄型表示パネルの表示領域が該画像表示部の表示領域を構成するよう行列状に配列して構成したものである、表示機器。
【請求項９】
表示領域を有し、画像表示信号に基づいて該表示領域上に表示画面を形成して該表示画面内に画像を表示する画像表示部と、該画像表示部に設けられ、操作者の操作により操作信号を生成する操作部と、リモートコントローラからのリモコン信号を受信する受信部とを有する表示機器を、該画像表示部にて画像表示が行われるよう制御する方法であって、
該操作信号あるいは該リモコン信号に基づいて該画像表示部での画像表示を制御するステップを含み、
該画像表示を制御するステップでは、
該操作部から該操作信号を受けたとき、該画像表示部の表示領域に該表示画面を縮小した縮小画面が形成されて該縮小画面内に該画像が表示されるように該画像表示信号を作成する、表示機器の制御方法。
【請求項１０】
請求項９に記載の表示機器の制御方法をコンピュータが実行するための制御プログラム。
【請求項１１】
請求項１０に記載の制御プログラムを記録したコンピュータ読み取り可能なプログラム記録媒体。
【発明の詳細な説明】
【技術分野】
【０００１】
本発明は、表示機器、表示機器の制御方法、制御プログラム、およびプログラム記録媒体に関し、特に、大画面を有する表示機器において、大画面に表示される画像を縮小画面に縮小表示するよう構成した表示機器、このような表示機器を制御する制御方法、このような表示機器の制御方法をコンピュータにより実行するための制御プログラム、およびこのような制御プログラムを記録したコンピュータ読み取り可能な記録媒体に関するものである。
【背景技術】
【０００２】
近年、表示装置として、液晶やプラズマを用いた薄型でフラットな表示パネル（即ち、フラットパネルディスプレイ）が一般的となっており、テレビ放送番組を受信するテレビ受像機やパーソナルコンピュータなどのディスプレイとして用いられている。
【０００３】
例えば、特許文献１にはこのようなテレビ受像機が開示されており、このテレビ受像機では、リモートコントローラ（以下、リモコンという）からの操作信号として赤外線信号を受光するリモコン受信部が設けられ、リモコンの操作に伴ってテレビ受像機での各種の制御や調整ができるようにしている。また、テレビ受像機のフラットパネルディスプレイには、電源ボタンとともに、チャンネル切り替え，音量調整，画面の明るさ調整などの各種の操作をするための操作ボタンが設けられており、テレビ受像機本体に設けられている操作ボタンの操作によっても、リモコンと同様に各種の操作をすることができる。
【０００４】
図２０は、この特許文献１に開示のフラットパネルディスプレイを示す図である。
【０００５】
このフラットパネルディスプレイ２１を構成するフロントパネル２２には表示画面部２３が設けられており、このフロントパネル２２の左下隅部には、ボタン操作部２４が設けられている。
【０００６】
ここで、ボタン操作部２４は、電源ボタン、チャンネル切換ボタン、音量調整ボタン、表示切換ボタン、明るさ調整ボタンなどの操作ボタンを含んでいる。これらの操作ボタンは、フロントパネル２２の下面に横方向に配列して設けられており、指先で上方向に押し込むようにして操作する構成となっている。
【０００７】
また、フロントパネル２２の前面は、リモコン受光部のためのリモコン受光窓２５、明るさセンサのための明るさ検出窓２６、電源オン時に発光するＬＥＤ（発光ダイオード）の発光光を出射する発光窓２７が設けられている。
【０００８】
また最近は、液晶表示ディスプレイなどのフラットパネルディスプレイの大型化が進んでいるが、このようなディスプレイでは、画面の表示操作には一般的にリモートコントローラを用いているのが現状であり、大型化が進んでもこの現状は続くと思われる。
【０００９】
このような大型のフラットパネルディスプレイ（以下、大画面ディスプレイともいう。）においても、リモートコントローラが手元にない時、もしくはリモートコントローラの電源が切れた時にも操作をしなければならないという状況を考慮して、ディスプレイ本体にボタンが設けられており、このボタンを用いてリモートコントローラと同様の操作が補助的にできるようにしてあるのが一般的である。
【００１０】
また、近年携帯機器に搭載されているタッチパネルでの操作が一般的になりつつあるが、このようなタッチパネルは携帯機器以外でも広がりを見せており、大画面ディスプレイにおいても例外ではなく、その需要は高まると予想される。
【先行技術文献】
【特許文献】
【００１１】
【特許文献１】特開２０１０−２０６６２７号公報
【発明の概要】
【発明が解決しようとする課題】
【００１２】
しかしながら、大型ディスプレイでは、ディスプレイ本体に配置されているボタンで操作を行う場合、操作する人と画面との距離はせいぜい片腕の長さであり、実際ボタンを押すという動作を行うために腕を多少曲げることを考慮すると、実際は操作する人はもっと画面に近づいた状態となるはずである。
【００１３】
このような状態で大画面ディスプレイを操作するとき、画面全体を見渡しながらの操作は難く、リモートコントローラでの操作と同感覚でスムーズに行えない。また、大画面ディスプレイで画面いっぱいに渡ってタッチパネル操作をすることは、前記ボタンでの操作と同様にスムーズに行うには難しいし、かつ大画面と同サイズのタッチパネルというのはまだ高価なものである。
【００１４】
本発明は、上記のような問題点を解決するためになされたものであり、大画面に表示された表示内容の全体を見渡して、表示機器本体のボタン操作によりリモコン操作と同様にスムーズな表示操作を行うことができる表示機器、このような表示機器の制御方法、このような表示機器の制御方法をコンピュータにより行うための制御プログラム、およびこのような制御プログラムを記録したコンピュータ読み取り可能な記録媒体を得ることを目的とする。
【課題を解決するための手段】
【００１５】
本発明に係る表示機器は、表示領域を有し、画像表示信号に基づいて該表示領域上に表示画面を形成して該表示画面内に画像を表示する画像表示部と、該画像表示部に設けられ、操作者の操作により操作信号を生成する操作部と、リモートコントローラからのリモコン信号を受信する受信部と、該操作信号あるいは該リモコン信号に基づいて該画像表示部での画像表示を制御する画像制御部とを備えた表示機器であって、該画像制御部は、該操作部から該操作信号を受けたとき、該画像表示部の表示領域に該表示画面を縮小した縮小画面が形成されて該縮小画面内に該画像が表示されるように該画像表示信号を作成するものであり、そのことにより上記目的が達成される。
【００１６】
本発明は、上記表示機器において、前記操作部は、前記画像表示部の周辺の一部に設けられた操作ボタンを含み、該操作ボタンの操作により前記操作信号を出力するよう構成したボタン操作部であることが好ましい。
【００１７】
本発明は、上記表示機器において、前記操作部は、前記画像表示部の表示領域上に配置されたタッチパネルを含み、該タッチパネルに対するタッチ操作により前記操作信号を出力するよう構成したタッチパネル部であることが好ましい。
【００１８】
本発明は、上記表示機器において、前記画像制御部は、前記表示画面に対する前記縮小画面の縮小率に基づいて、前記縮小画面に表示される縮小文字のサイズを検出する文字サイズ検出部と、該縮小文字のサイズが、前記操作者が該縮小文字を認識可能なサイズであるか否かを判定する文字認識判定部とを備え、該縮小文字のサイズが認識可能なサイズより小さいサイズであるとき、前記画像表示部の縮小画面では該表示画面の文字が認識可能な縮小サイズで表示されるよう前記画像表示信号を作成することが好ましい。
【００１９】
本発明は、上記表示機器において、前記画像制御部は、前記表示画面の文字を前記操作者の認識可能な縮小サイズで縮小して前記縮小画面に表示すると、該縮小した文字が該縮小画面からはみ出すとき、前記表示画面の一部の文字のみが該操作者の認識可能な最小のサイズで縮小されて該縮小画面に表示され、該縮小画面からはみ出す文字が該縮小画面に表示されないよう前記画像表示信号を作成することが好ましい。
【００２０】
本発明は、上記表示機器において、前記画像制御部は、前記表示画面の画像を前記縮小画面に縮小して表示する際、該表示画面の一部の文字が、前記表示領域における該縮小画面の外側の部分に表示されるよう前記画像表示信号を作成することが好ましい。
【００２１】
本発明は、上記表示機器において、前記画像制御部は、前記表示領域における前記縮小画面の外側の部分に表示される文字が文字認識可能なサイズの範囲で縮小されるよう前記画像表示信号を作成することが好ましい。
【００２２】
本発明は、上記表示機器において、前記画像表示部は、複数の薄型表示パネルを、該複数の薄型表示パネルの表示領域が該画像表示部の表示領域を構成するよう行列状に配列して構成したものであることが好ましい。
【００２３】
本発明に係る表示機器の制御方法は、表示領域を有し、画像表示信号に基づいて該表示領域上に表示画面を形成して該表示画面内に画像を表示する画像表示部と、該画像表示部に設けられ、操作者の操作により操作信号を生成する操作部と、リモートコントローラからのリモコン信号を受信する受信部とを有する表示機器を、該画像表示部にて画像表示が行われるよう制御する方法であって、該操作信号あるいは該リモコン信号に基づいて該画像表示部での画像表示を制御するステップを含み、該画像表示を制御するステップでは、該リモコン信号により該表示機器を制御して該画像表示部の表示領域の全面に該表示画面を形成して該表示画面内に該画像を表示し、該操作信号により該表示機器を制御して該画像表示部の表示領域の一部に該表示画面を縮小した縮小画面を形成して該縮小画面内に該画像を表示するものであり、そのことにより上記目的が達成される。
【００２４】
本発明に係る制御プログラムは、上述した本発明に係る表示機器の制御方法をコンピュータが実行するための制御プログラムであり、そのことにより上記目的が達成される。
【００２５】
本発明に係るプログラム記録媒体は、上述した本発明に係る制御プログラムを記録したコンピュータ読み取り可能なプログラム記録媒体であり、そのことにより上記目的が達成される。
【００２６】
次に作用について説明する。
【００２７】
本発明においては、画像表示信号に基づいて表示領域上に表示画面（大画面）あるいは縮小画面を形成して画像を表示する画像表示部と、該画像表示部に設けられ、操作者の操作により操作信号を生成する操作部と、リモートコントローラからのリモコン信号を受信する受信部と、該操作信号あるいは該リモコン信号に基づいて該画像表示部での画像表示を制御する画像制御部とを備え、画像制御部は、操作信号を受けたとき、画像表示部の表示領域に表示画面の縮小画面が形成されてこの縮小画面内に画像が表示されるよう画像表示信号を作成するので、縮小画面により画像表示部の表示領域に形成された大画面の表示内容の全体を認識して、画像表示部に設けられた操作部によりリモコン操作と同様にスムーズな表示操作を行うことができる。
【００２８】
また、本発明においては、縮小画面における縮小文字のサイズが認識可能なサイズより小さいサイズであるとき、画像表示部の縮小画面では、表示画面（大画面）の文字が認識可能な縮小サイズで表示されるようにするので、縮小画面にて選択された項目の文字もきちんと読み取れるようになり、スムーズな操作が可能になり、ユーザーの使い勝手が向上する。
【００２９】
また、本発明においては、操作部は、画像表示部の表示領域上に配置されたタッチパネルを含み、このタッチパネルに対するタッチ操作により操作信号を出力するよう構成したタッチパネル部であるので、画像表示部の表示領域における縮小画面上でのタッチパネル操作の際には、タッチ操作領域が縮小画面内の小さな領域となることにより、携帯機器搭載のタッチパネル操作と同感覚に操作をすることができ、ユーザーの使い勝手が向上する。
【発明の効果】
【００３０】
以上のように、本発明によれば、大画面に表示された表示内容の全体を見渡して、表示機器本体のボタン操作によりリモコン操作と同様にスムーズな表示操作を行うことができる表示機器、このような表示機器の制御方法、このような表示機器の制御方法をコンピュータにより行うための制御プログラム、およびこのような制御プログラムを記録したコンピュータ読み取り可能な記録媒体を得ることができる。
【図面の簡単な説明】
【００３１】
【図１】図１は、本発明の実施形態１による表示機器を説明する図であり、図１（ａ）はこの表示機器の全体構成を示し、図１（ｂ）はこの表示機器を構成する画像制御部の構成を示している。
【図２】図２は、本発明の実施形態１による表示機器の操作を説明する図であり、この表示機器の表示領域の全体に表示画面（大画面）を形成して大画面内に画像を表示した状態を示している。
【図３】図３は、本発明の実施形態１による表示機器の操作を説明する図であり、この実施形態１による表示機器の表示領域に、大画面を縮小した縮小画面を形成してこの縮小画面に画像を表示した状態を示している。
【図４】図４は、本発明の実施形態１による表示機器の操作を説明する図であり、主項目選択領域の上から１つ目の項目（番組）を選択した状態を示している。
【図５】図５は、本発明の実施形態１による表示機器の操作を説明する図であり、主項目選択領域の上から２つ目の項目（広告）を選択した状態を示している。
【図６】図６は、本発明の実施形態１による表示機器の操作を説明する図であり、主項目選択領域の上から３つ目の項目（天気）を選択した状態を示している。
【図７】図７は、本発明の実施形態１による表示機器の操作を説明する図であり、主項目選択領域の上から３つ目の項目（天気）を確定し、補助項目選択領域の左から２つ目の項目（滋賀）を選択した状態を示している。
【図８】図８は、本発明の実施形態２による表示機器を説明する図であり、図８（ａ）はこの表示機器の全体構成を示し、図８（ｂ）はこの表示機器を構成する画像制御部の構成を示している。
【図９】図９は、本発明の実施形態２による表示機器の操作を説明する図であり、表示画面に表示された画像を縮小画面に縮小して表示する際に、画面の縮小率と画像における文字の縮小率とを変える場合を示している。
【図１０】図１０は、本発明の実施形態３による表示機器を説明する図であり、図１０（ａ）はこの表示機器の全体構成を示し、図１０（ｂ）はこの表示機器を構成する画像制御部の構成を示している。
【図１１】図１１は、本発明の実施形態３による表示機器の操作を説明する図であり、表示画面に表示された画像を縮小画面に縮小表示する際に、選択された文字を含む項目を縮小画面外に表示させる場合を示している。
【図１２】図１２は、本発明の実施形態４による表示機器を説明する図であり、図１２（ａ）はこの表示機器の全体構成を示し、図１２（ｂ）はこの表示機器を構成する画像制御部の構成を示している。
【図１３】図１３は、本発明の実施形態４による表示機器の操作を説明する図であり、文字情報を含む選択された項目の履歴を縮小画面外に表示させる場合を示している。
【図１４】図１４は、本発明の実施形態５による表示機器を説明する図であり、図１４（ａ）はこの表示機器の全体構成を示し、図１４（ｂ）はこの表示機器を構成する画像制御部の構成を示している。
【図１５】図１５は、本発明の実施形態５による表示機器の操作を説明する図であり、文字情報を含む選択された項目を縮小して縮小画面外に表示させる場合を示している。
【図１６】図１６は、本発明の実施形態６による表示機器を説明する図であり、図１６（ａ）はこの表示機器の全体構成を示し、図１６（ｂ）はこの表示機器を構成する画像制御部の構成を示している。
【図１７】図１７は、本発明の実施形態６による表示機器の操作を説明する図であり、タッチパネル操作時に画面を縮小して表示する様子を示している。
【図１８】図１８は、本発明の実施形態７による表示機器を説明する図であり、表示画面を複数の薄型表示パネルの表示領域に跨って形成した状態を示している
【図１９】図１９は、本発明の実施形態７による表示機器を説明する図であり、複数の薄型表示パネルの表示領域に跨って形成した表示画面を縮小して、その１つの薄型表示パネルの表示領域に縮小画面を表示した状態を示している。
【図２０】図２０は、特許文献１に開示の表示機器を説明する図である。
【発明を実施するための形態】
【００３２】
以下、本発明の実施形態について図面を参照しながら説明する。
【００３３】
（実施形態１）
図１ないし図３は、本発明の実施形態１による表示機器を説明する図であり、図１（ａ）はこの表示機器の全体構成を示し、図１（ｂ）はこの表示機器を構成する画像制御部の構成を示している。
【００３４】
図２は、この実施形態１による表示機器の表示領域の全体に表示画面（大画面）を形成して大画面内に画像を表示した状態を示し、図３は、この実施形態１による表示機器の表示領域に、大画面を縮小した縮小画面を形成してこの縮小画面に画像を表示した状態を示している。
【００３５】
この実施形態１の表示装置１００は、表示領域１５１を有し、画像信号Ｖｓの処理により得られる画像表示信号Ｄｓに基づいて表示領域１５１上に表示画面（以下、大画面ともいう。）５あるいは縮小画面５ａを形成して大画面５あるいは縮小画面５ａ内に画像を表示する画像表示部１５０ａと、操作者のボタン操作により操作信号Ｂｓを生成するボタン部（操作部）１２０と、操作者のリモコン操作によりリモコン信号を含む赤外線信号ＩＲｃを出力するリモートコントローラ（以下、リモコンともいう。）１０と、リモコン１０からの赤外線信号ＩＲｃを受信してリモコン信号Ｒｓを出力するリモコン受信部１３０と、操作信号Ｂｓあるいはリモコン信号Ｒｓに基づいて画像信号Ｖｓを処理して得られる画像表示信号Ｄｓにより画像表示部１５０ａでの画像表示を制御する画像制御部１４０とを備えている。ここで、画像表示部１５０ａは、液晶表示パネルなどの薄型表示パネルにより構成されている。
【００３６】
そして、この実施形態１の表示装置１００では、画像制御部１４０は、リモコン部１２０からリモコン信号Ｒｓを受けたとき、このリモコン信号Ｂｓをトリガーとして画像表示部１５０ａの表示領域１５１に大画面５が形成されてこの大画面５に画像が表示され、ボタン部１２０から操作信号Ｂｓを受けたとき、操作信号Ｂｓをトリガーとして画像表示部１５０ａの表示領域１５１に、大画面５を縮小した縮小画面５ａが形成されてこの縮小画面５ａ内に画像が表示されるよう、画像信号Ｖｓの処理により画像表示信号Ｄｓを生成する構成となっている。
【００３７】
画像制御部１４０は、図１（ｂ）に示すように、ボタン部１２０からの操作信号Ｂｓおよびリモコン受信部１３０からのリモコン信号Ｒｓを受けて、操作者の操作に対応した指令信号Ｃｓを出力する操作信号処理部１４１と、表示画面（大画面）に対する縮小画面の縮小率を格納した縮小率格納部１４２と、指令信号Ｃｓおよび縮小率格納部１４２からの縮小率信号Ｓｃに基づいて画像信号Ｖｓに対する処理を行って画像表示信号Ｄｓを出力する画像信号処理部１４３とを有している。
【００３８】
なお、ここでは、表示機器１００は記録再生装置３０に接続され、またこの記録再生装置３０にはチューナ２０が接続されており、この表示機器１００には、チューナ２０で受信した放送信号Ｂｃｓが記録再生装置３０を介して画像信号Ｖｓとして供給され、また記録再生装置１３０からは、記録媒体に記録した映像信号が画像信号Ｖｓとして供給され、表示機器１００では、画像制御部１４０がチューナ２０あるいは記録再生装置１３０からの画像信号Ｖｓを処理して画像表示信号Ｄｓを出力するようになっている。
【００３９】
ただし、表示機器１００に供給される画像信号は、チューナ２０あるいは記録再生装置１３０からのものには限定されず、表示機器１００には、例えば、ＵＳＢメモリやＳＤカードなどの記録媒体に保存されている画像データ、例えば静止画データを画像信号として供給してもよい。この場合には、表示機器１００は、ＵＳＢメモリを接続するＵＳＢ接続端子あるいはＳＤカードを装着するためのカードスロットを有する構成とし、画像制御部は、ＵＳＢ接続端子に接続したＵＳＢメモリあるいはカードスロットに装着したＳＤカードから画像データを画像信号として読み込んで、この画像信号に対する処理により画像表示信号Ｄｓを出力する構成とする。さらに、表示機器に画像データを供給する記録媒体は、これらのＵＳＢメモリあるいはＳＤカードのように表示機器の外部メモリである必要はなく、例えば、表示機器の内部に設けられているハードディスクなどの内部メモリであってもよく、さらに、この表示機器は、上記外部メモリと内部メモリの両方から画像データを取得する構成としてもよい。
【００４０】
ボタン部１２０は、液晶表示パネルなどの薄型表示パネル（画像表示部）１５０ａの周辺の一部に設けられた例えば操作ボタン１２１〜１２３を含み、該操作ボタンの操作により操作信号Ｂｓを出力するよう構成されている。また、リモコン受信部１３０はこの薄型表示パネル１５０ａの前面下部に設けられている。
【００４１】
ここで、リモコン操作時には、薄型表示パネル１５０ａの表示領域１５１には、図２に示すように大画面（表示画面）５が形成される。この大画面５には、主項目選択領域６、補助項目選択領域７、および画像領域８が含まれている。
【００４２】
主項目選択領域６は大画面５の右側部に縦方向に延びるよう配置されており、主項目選択領域６には、選択の対象となる第１〜第５の主項目として、「番組」、「広告」、「天気」、「地域」、「設定」が縦方向に配列されている。また、補助項目選択領域７は、大画面５の上部に横方向に延びるよう位置しており、選択の対象となる第１〜第３の補助項目として、「滋賀」、「奈良」、「和歌山」が横方向に配列されている。ここでは、第３の主項目である「天気」が確定され、第２の補助項目である「奈良」が確定されている。また、画像領域８は、大画面５の、主項目選択領域６および補助項目選択領域７の配置領域以外の部分を占めるよう配置されており、奈良の各地の天気を示す画像が表示されている。
【００４３】
一方、図２に示す表示画面（大画面）が薄型表示パネル１５０ａの表示領域１５１に表示されている状態で、リモコン操作からボタン操作に切替えた時には、薄型表示パネル１５０ａの表示領域１５１には、図３に示すように、縮小画面５ａとして、図２に示す大画面５を縮小したものが表示されることとなる。つまり、この縮小画面５ａには、主項目選択領域６ａ、補助項目選択領域７ａ、および画像領域８ａが含まれている。また、主項目選択領域６ａは縮小画面５ａの右側部に縦方向に延びるよう配置されており、縮小画面５ａの主項目選択領域６ａには、大画面５の主項目選択領域６と同様に、選択の対象となる第１〜第５の主項目として、「番組」、「広告」、「天気」、「地域」、「設定」が縦方向に配列されている。
【００４４】
また、縮小画面５ａの補助項目選択領域７ａは、縮小画面５ａの上部に横方向に延びるよう位置しており、縮小画面５ａの補助項目選択領域７ａには、大画面５の補助項目選択領域７と同様に、選択の対象となる第１〜第３の補助項目として、「滋賀」、「奈良」、「和歌山」が横方向に配列されている。ここでは、第３の主項目である「天気」が確定され、第２の補助項目である「奈良」が確定されている。また、画像領域８ａは、縮小画面５ａの、主項目選択領域６ａおよび補助項目選択領域７ａの配置領域以外の部分を占めるよう配置されており、奈良の各地の天気を示す画像が表示されている。
【００４５】
また、この縮小画面５ａは、ボタン部１２０が薄型表示パネル１５０ａの右下側部に配置されていることから、薄型表示パネル１５０ａの表示領域１５１の右下隅部に、大画面５に対する面積縮小率が例えば９パーセントとなるよう相似形に縮小して形成されている。
【００４６】
次に動作について説明する。
【００４７】
この実施形態１の表示装置１００では、画像信号Ｖｓ、例えばチューナ２０から放送信号Ｂｃｓが画像制御部１４０に供給される。一方、リモコン１０の操作によりリモコン１０から出射された赤外線信号ＩＲｃがリモコン受信部１３０で受信され、リモコン受信部１３０からはリモコン信号Ｒｓが画像制御部１４０に供給され、またボタン部１２０の操作により操作信号Ｂｓが画像制御部１４０に供給される。
【００４８】
以下、まずリモコン１０により、表示画面（大画面）５に表示された項目を選択する動作について説明する。
【００４９】
図４〜図７は、表示画面５に表示された複数の項目をリモコン１０で選択する様子を説明する図である。
【００５０】
図４は、リモコン操作の最初の表示画像例であり、ここから、図２に示す奈良の天気を示す画像を表示させるまでの一連の流れの動作説明を行う。
【００５１】
例えば、薄型表示パネル１５０ａの表示領域１５１には大画面５が形成されており、この大画面５には、主項目選択領域６、補助項目選択領域７、および画像領域８が含まれている。
【００５２】
始めは、主項目選択領域６内には主項目として、「番組」、「広告」、「天気」、「地域」、「設定」が表示され、第１の項目の「番組」が選択されている。この選択状態では、選択された項目の表示部分が他の項目の表示部分に対して表示状態（背景色の濃さ、輝度、あるいは背景の模様など）が変化した状態となっている（図４）。
【００５３】
ここでの選択状態（カーソル）は、上下隣り合った主項目にしか移動できないものとしており、この場合「番組」から「天気」への直接の移動ができないので、まず、選択状態は「広告」に移動する。図５は、この項目「広告」の選択状態を示している。
【００５４】
再度、リモコン操作により表示機器の画像制御部１４０を操作することにより、「天気」が選択されることとなる（図６参照）。
【００５５】
ここで、この主項目の「天気」をリモコン操作によりリモコン信号を画像制御部１４０に伝えることにより、この主項目の「天気」が確定されることとなる（図７）。この主項目の確定により、補助項目選択領域７に補助項目、つまり「京都」、「滋賀」、「奈良」が現われる。
【００５６】
さらに、リモコン操作によりリモコン信号を画像制御部１４０に伝えることにより、図２に示すように補助項目の「奈良」を選択して確定する。これにより、画像領域８に奈良の天気が表示される（図２）。
【００５７】
このような表示画面５は、画像信号処理部１４３にて画像信号Ｖｓと操作信号出力部１４１からの命令信号Ｃｓとから作成される画像表示信号Ｄｓに基づいて表示領域１５１に表示される。
【００５８】
このような表示画面５に表示された各種項目を選択する操作を行っている状態で、操作者の操作がリモコン１０による操作から、薄型表示パネル１５０ａのボタン部１２０による操作に切り換わると、ボタン部１２０から操作信号Ｂｓが画像制御部１４０に供給され、画像制御部１４０では、この操作信号Ｂｓが操作信号処理部１４１で処理されて命令信号Ｃｓが画像信号処理部１４３に出力される。
【００５９】
すると、画像信号処理部１４３では、この命令信号Ｃｓがボタン部１２０からの信号であることを認識し、表示画面５を、縮小率格納部１４２から読み出した縮小率（ここでは９％）Ｓｃで縮小して縮小画面５ａを薄型表示パネル１５０ａの表示領域１５１に表示する。
【００６０】
このとき、縮小画面５ａは、薄型表示パネル１５０ａの表示領域１５１の、ボタン部１２０が配置されている側に表示される。
【００６１】
その後は、操作者は、この縮小画面５ａに表示された主項目および補助項目の選択を、表示パネル１５０ａの側部の下端部のボタン部１２０の操作により、リモコン１０での操作と同様に行う。
【００６２】
そして、縮小画面５ａに表示された主項目および補助項目の選択が完了すると、操作者は、例えば、ボタン部１２０の所定の操作ボタン、あるいはいずれかの操作ボタンを長押しすることにより、縮小画面５ａは元の表示画面（大画面）５に戻る。
【００６３】
なお、上記説明では、各種項目を選択する操作の途中で、リモコン操作からボタン部１２０の操作に切替える場合について説明したが、最初からボタン部１２０の操作により行った場合は、薄型表示パネル１５０ａの表示領域１５１には最初から縮小画面５ａが表示され、縮小画面を元の大画面に戻したいときは、ボタン部１２０の所定の操作ボタン、あるいはいずれかの操作ボタンを長押しすることにより、縮小画面が大画面に戻る。
【００６４】
このような構成の本実施形態１では、画像表示信号Ｄｓに基づいて表示領域１５１上に表示画面（大画面）５あるいは縮小画面５ａを形成して画像を表示する画像表示部（薄型表示パネル）１５０ａと、画像表示部１５０ａに設けられ、操作者のボタン操作により操作信号Ｂｓを生成するボタン部１２０と、リモコン１０からの赤外線信号ＩＲｃを受信してリモコン信号Ｒｓを出力するリモコン受信部１３０と、操作信号Ｂｓあるいはリモコン信号Ｒｓに基づいて画像信号Ｖｓを処理して画像表示信号Ｄｓを画像表示部１５０ａに供給して画像表示を制御する画像制御部１４０とを備え、ボタン部１２０から操作信号Ｂｓを受けたとき、画像表示部１５０ａの表示領域１５１に、表示画面５を縮小した縮小画面５ａが形成され、この縮小画面５ａ内に画像が表示されるよう、画像表示信号Ｄｓを作成するので、大画面の薄型表示パネル１５０ａに配置されている操作ボタンによる操作を、画面全体を見渡しながら行うことができる。つまり、大画面に表示された表示内容の全体を認識して、表示機器本体側のボタン操作によりリモコン操作と同様にスムーズな表示操作を行うことができる。
（実施形態２）
図８は、本発明の実施形態２による表示機器を説明する図であり、図８（ａ）はこの表示機器の全体構成を示し、図８（ｂ）はこの表示機器を構成する画像制御部の構成を示している。
【００６５】
この実施形態２の表示装置１００ａは、実施形態１の表示装置１００における画像制御部１４０に代えて、縮小画面における文字の縮小率を、縮小画面自体の縮小率とは異なる縮小率となるよう画像表示信号Ｄｓを作成する画像制御部１４０ａを備えたものであり、その他の構成は実施形態１の表示装置１００と同一である。
【００６６】
以下、画像制御部１４０ａの構成について説明する。
【００６７】
この画像制御部１４０ａは、実施形態１の画像制御部１４０を構成する操作信号処理部１４１および縮小率格納部１４２に加えて、縮小する文字のサイズとして文字の縮小率を格納した文字サイズ格納部１４４を備えている。この文字サイズ格納部１４４は、画像領域８での文字のサイズ（文字の縮小率）と、画像領域８以外の主項目選択領域６および補助項目選択領域７での文字のサイズ（文字の縮小率）とを格納している。ここで、文字の縮小率は、１つの文字の大きさを縦横のドット数の積で表わしたときの、総ドット数の比率である。
【００６８】
そして、この実施形態２の画像制御部１４０ａの画像信号処理部１４３ａは、ボタン部１２０の操作信号Ｂｓにより表示画面（大画面）５を縮小画面５ａに変更するとき、縮小画面５ａをその面積が表示画面５の面積の９％になるよう縮小し、さらに、縮小画面５ａに含まれる文字を、この文字が画像領域８では、例えば大画面における文字の３２．７％の大きさになり、主項目選択領域６ａおよび副項目選択領域７ａでは、例えば大画面における文字の大きさの１９．８％になるよう縮小する構成となっている。
【００６９】
ここで、文字の縮小は相似形を維持して行われ、例えば、大画面における文字の３２．７％の大きさに縮小した文字の縦横のドット数の積は、大画面における文字の縦横のドット数の積の３２．７％のドット数となっている。
【００７０】
次に作用効果について説明する。
【００７１】
図９は、この実施形態２による表示装置１００ａの操作を説明する図であり、表示画面（大画面）を縮小する際に、画面の縮小率と文字の縮小率を変える場合を示している。
【００７２】
例えば、表示画面５を縮小画面５ａに縮小すると、表示画面５に含まれる文字も画面と同じ縮小率で縮小されることとなるが、文字については、あまり縮小せずに表示したい場合がある。
【００７３】
つまり、画像を縮小するとドットが荒くなり見難くはなるが、通常のリモコン操作によって、縮小前画面（大画面）５での項目のレイアウトに慣れているため、各項目を選択する際にはあまり気にはならないが、文字が縮小によってつぶれてしまうと見慣れたレイアウトとはいえ、内容の認識に手間取り操作性が悪化してしまうことがある。
【００７４】
そこで、この実施形態２の表示装置１００ａでは、縮小画面５ａの画像領域８ａでは文字を見やすい縮小率約３２．７％に縮小し、縮小画面５ａのそれ以外の部分では、文字を縮小率約１９．８％で縮小するようにしたものである。
【００７５】
具体的には、操作者がリモコン１０により、表示画面５に表示された各種項目を選択する操作を行っている状態で、操作者がリモコン１０による操作から、薄型表示パネル１５０ａのボタン部１２０による操作に切替えると、ボタン部１２０から操作信号Ｂｓが画像制御部１４０ａに供給され、画像制御部１４０ａでは、この操作信号Ｂｓが操作信号処理部１４１で処理されて命令信号Ｃｓが画像信号処理部１４３ａに出力される。
【００７６】
すると、画像信号処理部１４３ａでは、この命令信号Ｃｓがボタン部１２０からの操作信号であることを認識し、表示画面５を、縮小率格納部１４２から読み出した縮小率（ここでは９％）Ｓｃで縮小して縮小画面５ａを薄型表示パネル１５０ａの表示領域１５１に形成する。
【００７７】
このとき、画像信号処理部１４３ａは、文字サイズ格納部１４４から、画像領域８ａでの文字の縮小率（ここでは約３２．７％）および各項目選択領域６ａおよび７ａでの文字の縮小率（約３２．７８％）を読出し、縮小画面５ａにおける文字が、これらの縮小率で表示されるよう画像信号Ｖｓを処理して画像表示信号Ｄｓを薄型表示パネル１５０ａに出力する。
【００７８】
これにより、薄型表示パネル１５０ａの表示領域１５１に、縮小画面５ａがその面積が表示画面（大画面）５の面積の９％になるよう縮小されて形成され、縮小画面５ａに含まれる文字は、この文字が画像領域８ａでは例えば３２．７％になり、主項目選択領域６ａおよび補助項目選択領域７ａでは例えば１９．８％になるよう縮小して表示されることとなる。
【００７９】
このような構成の本実施形態２による表示装置１００ａでは、画像表示部（薄型表示パネル）１５０ａの表示領域１５１に形成されている表示画面５を縮小画面５ａに縮小する際、縮小画面５ａにおける文字を、画面の縮小率より決まるサイズより大きいサイズにするので、大画面に表示された表示内容の全体を認識して、表示機器本体のボタン操作によりリモコン操作と同様にスムーズな表示操作を行うことができるという実施形態１の効果の他に、縮小画面５ａでは文字が表示される場所に応じて、文字を読み易い大きさに縮小して表示することもできるという効果が得られる。
【００８０】
なお、上記実施形態２では、画像制御部１４０ａにおいて、縮小する文字のサイズとして文字の縮小率を格納した文字サイズ格納部１４４を備え、縮小画面における文字の縮小率を、縮小画面自体の縮小率とは異なる縮小率とするものを示したが、画像制御部は、上記文字サイズ格納部１４４に代えて、表示画面に対する縮小画面の縮小率に基づいて、縮小画面に表示される縮小文字のサイズを検出する文字サイズ検出部と、この縮小文字のサイズが、操作者がこの縮小文字を認識可能なサイズであるか否かを判定する文字認識判定部とを備え、縮小文字のサイズが認識可能なサイズより小さいサイズであるとき、画像表示部（薄型表示パネル）１５０ａの縮小画面５ａでは、表示画面の文字が認識可能な縮小サイズで表示されるよう画像表示信号を作成する構成としてもよい。
【００８１】
さらに、この画像制御部は、表示画面５の文字を操作者の認識可能な縮小サイズで縮小して縮小画面５ａに表示すると、縮小した文字が縮小画面５ａからはみ出すとき、表示画面５の一部の文字のみが操作者の認識可能な最小のサイズで縮小されて縮小画面５ａに表示され、縮小画面５ａからはみ出す文字が縮小画面５ａに表示されないよう画像表示信号を作成する構成としてもよい。
（実施形態３）
図１０は、本発明の実施形態３による表示機器を説明する図であり、図１０（ａ）は、この表示機器の全体構成を示し、図１０（ｂ）は、この表示機器を構成する画像制御部の構成を示している。
【００８２】
この実施形態３の表示装置１００ｂは、実施形態１の表示装置１００における画像制御部１４０に代えて、表示画面を縮小画面に縮小して表示する際、表示画面の一部の文字が、表示領域における縮小画面の外側の部分に表示されるよう画像信号を処理する画像制御部１４０ｂを備えたものであり、その他の構成は実施形態１の表示装置１００と同一である。
【００８３】
以下、画像制御部１４０ｂの構成について説明する。
【００８４】
この画像制御部１４０ｂは、実施形態１の画像制御部１４０を構成する画像信号処理部１４３に代えて、表示画面（大画面）５を縮小画面５ａに縮小する際、表示画面５における現時点で選択されている項目としての文字が、表示領域１５１の縮小画面５ａ以外の文字表示領域１１に、表示画面（大画面）５におけるサイズで表示されるよう、画像信号Ｖｓを処理して画像表示信号Ｄｓを出力する画像信号処理部１４３ｂを有している。
【００８５】
図１１は、表示画面５を縮小画面５ａに縮小したときに、選択されている補助項目選択領域７ａの文字「奈良」を、縮小画面５ａの外部の文字表示領域１１に表示させた１例を示している。
【００８６】
ここでは補助項目の「奈良」が選択されているので、縮小画面５ａの外側の文字表示領域１１には「奈良」が表示されている。
【００８７】
この実施形態３においても、実施形態１で説明したように、第１の主項目である「番組」から第２の補助項目である「奈良」を選択して奈良の天気を表示するまでの一連の操作を行ったとすると、文字表示領域１１に表示される文字は、「番組」→「広告」→「天気」→「奈良」という順番で表示されることになる。
【００８８】
このような構成の本実施形態３では、表示画面５を縮小画面５ａに変更したときには、選択されている項目である文字が、縮小画面５ａの外側の文字表示領域１１に大画面５におけるサイズで表示されることとなるので、縮小画面５ａを見てボタン操作により項目を選択する場合に、より項目の内容を見やすくすることができる。
【００８９】
なお、上記実施形態３では、表示画面（大画面）５を縮小画面５ａに変更したときには、選択されている項目を縮小画面５ａの外側の文字表示領域１１に表示するようにしたが、選択されている項目だけではなく、過去に選択された項目もこの文字表示領域１１に表示するようにしてもよい。
【００９０】
また、薄型表示パネルに設けられている操作ボタンでの操作時は、その表示領域の、操作ボタンが配置されている近傍部分に、表示画面（大画面）を縮小した縮小画面を表示させ、表示画面で選択されている項目の文字は、文字がつぶれない大きさで縮小画面外の文字表示領域に表示させるようにしてもよい。
【００９１】
さらに、縮小画面で選択されている項目の文字が縮小により見にくくなってしまうことを回避するために、縮小画面における文字の縮小率は、縮小画面の縮小率とは異ならせて、文字がつぶれない縮小率にして、選択されている項目の文字を、表示画面（大画面）と縮小画面とで相対的に同じ場所に表示させる方法と、選択された項目の文字を縮小画面外に文字がつぶれない大きさで表示させる方法とを適宜選択可能としてもよい。
（実施形態４）
図１２は、本発明の実施形態４による表示機器を説明する図であり、図１２（ａ）は、この表示機器の全体構成を示し、図１２（ｂ）は、この表示機器を構成する画像制御部の構成を示している。
【００９２】
この実施形態４による表示装置１００ｃの画像制御部１４０ｃは、実施形態３の表示装置１００ｂにおける画像制御部１４０ｂの画像信号処理部１４３ｂに代えて、表示画面（大画面）５を縮小画面５ａに縮小する際、表示画面５における現時点で選択されている項目だけでなく、過去に選択された項目が、表示領域１５１の縮小画面５ａ以外の文字表示領域１１に表示画面（大画面）５におけるサイズで表示されるよう画像信号Ｖｓを処理して画像表示信号Ｄｓを出力する画像信号処理部１４３ｃを備えたものである。
【００９３】
また、この実施形態４の表示装置１００ｃは、実施形態３の表示装置１００ｂにおけるボタン部１２０に代えて、表示パネル１５０ａとは短いケーブル１２４により接続されたボタン部１２０ｃを備えている。
【００９４】
本実施形態４の表示装置１００ｃにおけるその他の構成は、実施形態３の表示装置１００ｂと同一である。
【００９５】
このような構成の実施形態４による表示機器１００ｃでは、ボタン部１２０ｃによる操作は、実施形態１のボタン部１２０による操作と同様に行われる。
【００９６】
このような構成の本実施形態４では、図１３に示すように、表示画面（大画面）５を縮小画面５ａに縮小したときに、現時点で選択されている補助項目選択領域７ａの項目としての文字「奈良」と、過去に選択された主項目選択領域６ａの項目としての文字「天気」とが、表示画面（大画面）５でのサイズで縮小画面５ａの外部の文字表示領域１１に表示される。
【００９７】
このため、縮小画面５ａを見てボタン操作により項目を選択する場合に、より一層項目の内容を見やすくすることができる。
（実施形態５）
図１４は、本発明の実施形態５による表示機器を説明する図であり、図１４（ａ）は、この表示機器の全体構成を示し、図１４（ｂ）は、この表示機器を構成する画像制御部の構成を示している。
【００９８】
この実施形態５の表示装置１００ｄは、実施形態３の表示装置１００ｂにおける画像制御部１４０ｂに代えて、表示画面を縮小画面に縮小して表示する際、表示画面の一部の文字が、表示領域における縮小画面の外側の文字表示領域１１に表示され、かつ縮小画面５ａのサイズとのバランスに基づいて文字表示領域１１に表示する文字の縮小率が調整されるよう画像表示信号Ｄｓを作成する画像制御部１４０ｄを備えたものであり、その他の構成は実施形態３の表示装置１００ｂと同一である。
【００９９】
つまり、この実施形態５の画像制御部１４０ｄは、実施形態３の画像制御部１４０ｂにおいて、縮小率格納部１４２に格納されている縮小画面の縮小率に基づいて、文字表示領域１１に表示する文字の縮小率を調整する文字縮小率調整部１４５を備えたものであり、画像信号処理部１４３ｄは、文字縮小率調整部１４５で調整された縮小率を示す縮小率信号Ｓａに基づいて、文字表示領域１１に表示される文字が縮小されるよう画像信号を処理して画像表示信号Ｄｓを出力する構成となっている。ここでは、文字表示領域１１に表示される文字の縮小率は４４．４％にしている。図１５は、文字表示領域１１に、縮小画面５ａのサイズに応じた縮小率で補助項目としての文字を表示した状態を示している。
【０１００】
このような構成の実施形態５の表示装置１００ｄでは、文字表示領域１１に表示される文字を縮小画面５ａのサイズに応じて縮小しているので、文字表示領域１１に表示される文字を、縮小画面５ａのサイズとのバランスを考えて、大きすぎず、かつ文字認識できる大きさに表示することができる。
（実施形態６）
図１６は、本発明の実施形態６による表示機器を説明する図であり、図１６（ａ）は、この表示機器の全体構成を示し、図１６（ｂ）は、この表示機器を構成する画像制御部の構成を示している。
【０１０１】
この実施形態６の表示装置１００ｅは、実施形態１の表示装置１００におけるボタン部１２０に代えてタッチパネル部１５２を備え、さらに、実施形態１の表示装置１００における画像制御部１４０に代えて、タッチパネル部１５２からのタッチ操作信号Ｔｐｓあるいはリモコン信号Ｒｓに基づいて画像信号Ｖｓを処理して得られる画像表示信号Ｄｓにより画像表示部１５０ｅでの画像表示を制御する画像制御部１４０ｅを有している。
【０１０２】
ここで、タッチパネル部１５２は、画像表示部（薄型表示パネル）１５０ｅの表示領域１５１の、縮小画面５ａが表示される領域上に設けられたタッチパネル１５２ａと、このタッチパネル１５２ａからのタッチ信号Ｔｄに基づいて縮小画面５ａに対する操作信号Ｔｐｓを出力するタッチパネル制御部１５２ｂとを有している。なおここで、タッチパネル制御部１５２ｂは、タッチパネル１５２ａを駆動制御信号Ｔｃにより駆動制御する構成となっている。なお、タッチパネル１５２ａは表示領域全面に設けてもよい。
【０１０３】
また、画像制御部１４０ｅは、タッチパネル部１５２からのタッチ操作信号Ｔｐｓおよびリモコン受信部１３０からのリモコン信号Ｒｓを受けて、操作者の操作に対応した指令信号Ｃｓを出力する操作信号処理部１４１ｅと、表示画面（大画面）に対する縮小画面の縮小率を格納した縮小率格納部１４２と、指令信号Ｃｓおよび縮小率格納部１４２からの縮小率信号Ｓｃに基づいて画像信号Ｖｓに対する処理を行って画像表示信号Ｄｓを出力する画像信号処理部１４３ｅとを有している。
【０１０４】
図１７は、タッチパネル操作時に、縮小画面５ａを画像表示部（薄型表示パネル）１５０ｅの表示領域１５１に表示した状態を示している。
【０１０５】
このように縮小画面５ａを画像表示部１５０ｅの表示領域１５１に表示した状態では、この縮小画面５ａの複数の主項目あるいは複数の補助項目の上をタッチ操作することで、これらの項目を選択し、確定することができる。
【０１０６】
このような構成の実施形態６の表示装置１００ｅでは、実施形態１の表示装置１００におけるボタン部１２０に代わるタッチパネル部１５２を備えたので、タッチパネル部１５２に対するタッチ操作を、縮小画面５ａにより表示画面（大画面）５の全体の表示内容を認識しながら行うことができる。つまり、実施形態１と同様に、表示画面（大画面）５に表示された表示内容の全体を認識して、表示機器本体のタッチパネル部に対するタッチ操作によりリモコン操作と同様にスムーズな表示操作を行うことができる。
【０１０７】
また、この実施形態６では、タッチパネル１５２ａのサイズは表示画面（大画面）５よりも小さく、縮小画面５ａ程の大きさにしているので、コスト削減を図ることができる。
【０１０８】
また、操作部には、画像表示部の表示領域上に配置されたタッチパネルを含み、このタッチパネルに対するタッチ操作により操作信号を出力するよう構成したタッチパネル部を用いているので、画像表示部の表示領域における縮小画面上でのタッチパネル操作の際には、タッチ操作領域が縮小画面内の小さな領域となることにより、携帯機器搭載のタッチパネル操作と同感覚に操作をすることができ、ユーザーの使い勝手が向上する。
【０１０９】
なお、上記実施形態で示したリモコン受信部は、送信できず受信のみの機能しかないものではなく、受信可能という意味での表現であり、また例の中の図の構成、配置、縮小率、サイズ等に関して、これらは説明する為の便宜上のものであり、本発明はこれらに限定するものではない。
【０１１０】
なお、上記実施形態１〜６では、表示機器の表示領域１５１を構成する薄型表示パネルは１つである場合について説明したが、表示機器は複数の薄型表示パネルを有し、これらの複数の薄型表示パネルが形成する１つの表示領域１５１に１つの大画面を表示するようにしてもよい。
（実施形態７）
図１８および図１９は、このような構成の本発明の実施形態７による表示装置を説明する図であり、図１８は、複数の薄型表示パネルが形成する１つの表示領域に１つの表示画面（大画面）を形成した状態を示し、図１９は、図１８に示す表示画面（大画面）を縮小して１つの薄型表示パネルの右下隅に縮小画面を形成した状態を示している。
【０１１１】
この表示装置１００ｆは、４つの薄型表示パネル１５０ａ１〜１５０ａ４を有し、薄型表示パネル１５０ａ１〜１５０ａ４はそれぞれ表示領域１５１ａ１〜１５１ａ４を有している。
【０１１２】
そして、この表示装置１００ｆでは、表示領域１５１ａ１〜１５１ａ４に跨って１つの表示画面（大画面）５が形成され、この表示画面（大画面）５には主項目選択領域６、補助項目選択領域７、および画像領域８が含まれている。
【０１１３】
また、この表示装置１００ｆでは、リモコン受信部１３０は右下の薄型表示パネル１５０ａ４に設けられており、また、ボタン操作部１２０は、右下の薄型表示パネル１５０ａ４の側部下端に設けられている。
【０１１４】
なお、これらの図中、１１２ａ〜１１２ｄは、４つの薄型表示パネル１５０ａ１〜１５０ａを保持する縦フレームであり、１１１ａおよび１１１ｂは、縦フレーム１１２ａ〜１１２ｄを連結する下部フレームおよび上部フレームである。
【０１１５】
この実施形態７の表示装置１００ｆは、大画面（表示画面）５を図１８に示すように、隣接して配置された４つの薄型表示パネル１５０ａ１〜１５０ａ４のそれぞれの表示領域１５１ａ１〜１５１ａ４に跨って形成し、縮小画面５ａを図１９に示すように、右下の薄型表示パネル１５０ａ４の右下隅部に形成する点以外は実施形態１の表示装置１００と同一の構成となっている。
【０１１６】
このような構成の本実施形態７の表示装置１００ｆでは、縮小画面５ａにより、表示画面（大画面）５に表示される表示内容の全体を認識して、表示機器本体のボタン操作によりリモコン操作と同様にスムーズな表示操作を行うことができるという効果は極めて有効なものとなる。
【０１１７】
さらに、本発明の各実施形態の表示機器を制御する制御方法は、制御プログラムをコンピュータに実行させることにより行うことができる。
【０１１８】
この制御プログラムは、表示領域を有し、画像表示信号に基づいて該表示領域上に表示画面を形成して該表示画面内に画像を表示する画像表示部と、該画像表示部に設けられ、操作者の操作により操作信号を生成する操作部と、リモートコントローラからのリモコン信号を受信する受信部とを有する表示機器の制御をコンピュータに実行させるためのプログラムであって、コンピュータは、少なくとも、該操作信号あるいは該リモコン信号に基づいて該画像表示部での画像表示を制御する処理を実行し、この画像表示を制御する処理では、該操作部から該操作信号を受けたとき、該画像表示部の表示領域に該表示画面を縮小した縮小画面が形成されて該縮小画面内に該画像が表示されるように該画像表示信号を作成する。
【０１１９】
このような制御プログラムはコンピュータ読み取り可能な記録媒体に格納されている。
【０１２０】
以上のとおり、上述した本発明の実施の形態に係る表示機器は、機器に配置されている操作ボタンあるいはタッチパネルにより、大画面を見ながらの近距離操作をしなくてはならない時でも、リモートコントローラ操作時と同様にスムーズに行えるようになる。
【０１２１】
これにより画面の大型が進む今後において、ボタンのみでの操作性であってもユーザーに使い勝手の良い表示機器を提供することができる。また、大画面でのタッチパネル操作であっても、タッチパネルの操作領域を縮小することによりユーザーが携帯機器を操作するのと同感覚での使い勝手の良い操作感をもった表示機器を提供することができる。
【０１２２】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【０１２３】
本発明は、表示機器、表示機器の制御方法、制御プログラム、およびプログラム記録媒体の分野において、大画面に表示された表示内容の全体を見渡して、表示機器本体のボタン操作によりリモコン操作と同様にスムーズな表示操作を行うことができる表示機器、このような表示機器の制御方法、このような表示機器の制御方法をコンピュータにより行うための制御プログラム、およびこのような制御プログラムを記録したコンピュータ読み取り可能な記録媒体を実現することができる。
【符号の説明】
【０１２４】
５  表示画面（大画面）
５ａ  縮小画面
６、６ａ  主項目選択領域
７、７ａ  補助項目選択領域
８、８ａ  画像領域
１０  リモートコントローラ
１１  文字表示領域
２０  チューナ
３０  記録再生装置
１００、１００ａ〜１００ｆ  表示装置
１１１ａ  下部フレーム
１１１ｂ  上部フレーム
１１２ａ〜１１２ｄ  縦フレーム
１２０  ボタン部（操作部）
１２１〜１２３  操作ボタン
１３０  リモコン受信部
１４０、１４０ａ〜１４０ｅ  画像制御部
１４１、１４１ｅ  操作信号処理部
１４２  縮小率格納部
１４３、１４３ａ、１４３ｂ、１４３ｃ、１４３ｄ  画像信号処理部
１４５  文字縮小率調整部
１５０ａ、１５０ａ１〜１５０ａ４、１５０ｅ  薄型表示パネル
１５１、１５１ａ１〜１５１ａ４  表示領域
１５２  タッチパネル部
１５２ａ  タッチパネル
１５２ｂ  タッチパネル制御部
Ｂｓ  操作信号
Ｂｃｓ  放送信号
Ｃｓ  指令信号
Ｄｓ  画像表示信号
ＩＲｃ  赤外線信号
Ｒｓ  リモコン信号
Ｓｃ  縮小率信号
Ｔｐｓ  タッチパネル信号
Ｖｓ  画像信号
Ｚｓ  文字サイズ信号
【図１】
2013089047.tif 000003
【図４】
2013089047.tif 000004
【図５】
2013089047.tif 000005
【図６】
2013089047.tif 000006
【図８】
2013089047.tif 000007
【図１０】
2013089047.tif 000008
【図１２】
2013089047.tif 000009
【図１４】
2013089047.tif 000010
【図１６】
2013089047.tif 000011
【図２０】
2013089047.tif 000012
【図２】
2013089047.tif 000013
【図３】
2013089047.tif 000014
【図７】
2013089047.tif 000015
【図９】
2013089047.tif 000016
【図１１】
2013089047.tif 000017
【図１３】
2013089047.tif 000018
【図１５】
2013089047.tif 000019
【図１７】
2013089047.tif 000020
【図１８】
2013089047.tif 000021
【図１９】
2013089047.tif 000022